(57)【要約】      （修正有）【課題】複数収納されたロールペーパーが自動的かつスムースに芯棒に供給されるロールペーパー供給装置及びロールペーパー供給システムを提供する。【解決手段】トイレブースの壁面に設置されるロールペーパー供給装置であって、壁面にはめ込まれる正面パネル１３と、ロールペーパーＲを収納するためのロールペーパー収納箱１７と、ロールペーパーＲを取り出すための取り出し口１３ｂと、ロールペーパーＲを保持するための芯棒１６と、ロールペーパーＲの紙を切断するためのペーパーカッター１５と、を有し、芯棒１６の表面にロールペーパーＲを回転させる凹部が形成されたロールペーパー供給装置。【選択図】図１
2016036674.tif 000002
【特許請求の範囲】
【請求項１】
トイレブースの壁面に設置されるロールペーパー供給装置であって、
前記壁面にはめ込まれる正面パネルと、
ロールペーパーを収納するための、前記正面パネルの背面に傾斜して設置される収納手段と、
ロールペーパーを取り出すための、前記収納手段の端部近傍で前記正面パネルに形成された取り出し口と、
ロールペーパーの中空芯部内に挿入されて当該ロールペーパーを保持する芯棒と、
前記芯棒に保持されたロールペーパーの紙を切断するための切断手段と、
を有し、
前記芯棒の表面に、
前記収納手段から供給されたロールペーパーの中空芯部がその供給方向における先端において斜めに当接することにより、当該ロールペーパーに対して前記芯棒の延長方向に直交する方向を回転中心軸とした回転力を作用させる凹部、凸部、及び、回転ローラのうち少なくともいずれか１つが配置されることを特徴とするロールペーパー供給装置。
【請求項２】
前記収納手段の内側底面部に、前記ロールペーパーの供給方向への移動を容易にするための複数の搬送ローラが、前記ロールペーパーの供給方向に沿って列状に設置されていることを特徴とする請求項１記載のロールペーパー供給装置。
【請求項３】
前記芯棒の中心線の前記正面パネルからの奥行き方向の距離が、前記ロールペーパーの巻き半径以下であることを特徴とする請求項１又は２に記載のロールペーパー供給装置。
【請求項４】
前記切断手段が、前記収納手段から供給されるロールペーパーと対向する側面において、当該ロールペーパーの前記取り出し口位置への侵入を阻止するストッパーを有していることを特徴とする請求項１乃至３のいずれか１項に記載のロールペーパー供給装置。
【請求項５】
前記切断手段が、前記芯棒に保持されたロールペーパーの上部位置で揺動可能に配置され、かつ、少なくとも異なる複数の高さ位置で停止保持されることができることを特徴とする請求項１乃至４のいずれか１項に記載のロールペーパー供給装置。
【請求項６】
前記切断手段は、弾性手段により、前記芯棒に保持されたロールペーパーに付勢されることを特徴とする請求項１乃至５のいずれか１項に記載のロールペーパー供給装置。
【請求項７】
トイレブースの壁面に形成された凹部に設置されるロールペーパー供給装置であって、
前記凹部にはめ込まれる正面パネルと、
前記正面パネルの背面に傾斜して設置され、高い側の端部からロールペーパーが挿入されることにより複数のロールペーパーの中空芯部内を貫通して保持するロッド棒と、
前記ロッド棒の低い側の端部近傍で前記正面パネルに形成されたロールペーパーを取り出すための取り出し口と、
ロールペーパーの中空芯部内に挿入されて当該ロールペーパーを保持する芯棒と、
前記芯棒に保持されたロールペーパーの紙を切断するための切断手段と、
を有し、
前記芯棒の表面に、
収納手段から供給されたロールペーパーの中空芯部がその供給方向における先端において斜めに当接することにより、当該ロールペーパーに対して前記芯棒の延長方向に直交する方向を回転中心軸とした回転力を作用させる凹部、凸部、及び、回転ローラのうち少なくともいずれか１つが配置されることを特徴とするロールペーパー供給装置。
【請求項８】
請求項７に記載のロールペーパー供給装置を複数有して構成され、
前記複数のロールペーパー供給装置が各々有する複数のロッド棒の高い側の端部が、共通のロールペーパー投入口に連結されていることを特徴とするロールペーパー供給システム。
【発明の詳細な説明】
【技術分野】
【０００１】
本発明は、トイレブースに設置されるロールペーパー供給装置及びロールペーパー供給システムに関する。
【背景技術】
【０００２】
近年、高速道路のサービスエリアあるいはパーキングエリア、または駅や公園等に設置される公共のトイレでは、フラッシュバルブとロールペーパー収納部をトイレブースの壁面に収納するユニット化された構成を有するロールペーパー供給装置が多く使用されている。例えば、特許文献１にはこのようなユニット化されたロールペーパー供給装置が開示されている。
【０００３】
図８は、特許文献１に係るロールペーパー供給装置の概略斜視図である。ロールペーパー供給装置４は、壁面に設けられた凹部内に配置されて、額縁フレームＦを介して固設される。正面パネル２の裏面側には洗浄操作部１００が設けられ、フラッシュバルブ３に係合している。また、ロールペーパー供給装置４は、ロールペーパー供給部３００を有する。ロールペーパー供給部３００は、正面パネル２の略中央に位置し、正面パネル２の裏面に筒状のロールペーパー収容部３０１が起立して配設されている。ロールペーパー収容部３０１にはロールペーパーが積載収容され、ロールペーパー収容部３０１へのロールペーパーの供給は、例えば、正面パネル２に不図示のロールペーパー供給口を設け、該ロールペーパー供給口からロールペーパーを投入することで行う。
【０００４】
正面パネル２の、ロールペーパー収容部３０１の底部位置には、予備ロールペーパー待機部３０２が形成されており、ロールペーパー収容部３０１に収容されている最下部のロールペーパーは、予備ロールペーパー待機部３０２にて保持される。予備ロールペーパー待機部３０２の図中左側には、ロールペーパー引出し部３０３が連設されており、予備ロールペーパー待機部３０２に保持されているロールペーパーは、使用者が図における左方向に押し出すことでロールペーパー引出し部３０３にスライド移送される。ロールペーパーをスライドすると、予備ロールペーパー待機部３０２は空室となるため、ロールペーパー収容部３０１に収容されている二段目のロールペーパーが自重で落下し、予備ロールペーパー待機部３０２が該ロールペーパーで満たされる。
【０００５】
しかし、特許文献１のロールペーパー供給装置４では、予備ロールペーパー待機部３０２に保持されているロールペーパーを使用者がロールペーパー引出し部３０３にスライド移送しなければならず煩雑であった。この課題を解決するため、図９に示すようなロールペーパー供給装置５０が使用されている。ロールペーパー供給装置５０の構成について、以下に説明する。
【０００６】
ロールペーパー供給装置５０の正面パネル５３には、図９（ｂ）中の左上部に洗浄水を流すための洗浄操作ボタン５１と便座を制御するための操作パネル５２が設置されている。また、正面パネル５３の左下部にはロールペーパーＲを使用者が取り出すためのロールペーパー取り出し口５３ｂが形成されている。ロールペーパー取り出し口５３ｂには、従来のロールペーパー供給装置と同様にペーパーカッター５５、芯棒５６が取付金具５９を介して設置されている。そして、正面パネル５３の中央部には、ロールペーパーＲの残量を確認するための窓５３ａが、右側上部にはロールペーパー供給窓５４が形成されている。
【０００７】
正面パネル５３の背面側には複数のロールペーパーＲを収納するためのロールペーパー収納箱５７が斜めに設置されている（図９（ａ））。また、ロールペーパー収納箱５７の内側底部には２本のレール５８が設置され、収納されたロールペーパーＲがロールペーパー取り出し口５３ｂに向かって移動しやすいように構成されている。使用者がロールペーパーＲを使い切ってしまった場合には、ロールペーパー収納箱５７の左端のロールペーパーＲが新たに供給される。
【先行技術文献】
【特許文献】
【０００８】
【特許文献１】特開２００８−２２３３４０号公報
【発明の概要】
【発明が解決しようとする課題】
【０００９】
しかし、上記したロールペーパー供給装置５０は、ロールペーパーＲを自動で供給できるものの以下のような課題があった。
【００１０】
（イ）既に芯棒５６を介して設置されているロールペーパーＲの右側面に、ロールペーパー収納箱５７に収納されている左端のロールペーパーＲがぶつかり（図１０参照）、芯棒５６を介して設置されているロールペーパーＲを充分に回転できないという問題があった。
【００１１】
（ロ）図９（ａ）に示した芯棒５６の奥行寸法Ｘは大きく、図１１（ｃ）に示したように芯棒５６を介して設置されているロールペーパーＲが奥まった位置に設置されている。そのため、使用者はロールペーパーＲの紙を引き出しにくく、ロールペーパーＲの径が小さくなった場合には、特に引出しにくいという問題があった。図１１は、取付金具５９，ペーパーカッター５５，芯棒５６により構成される部分を示した図である。
【００１２】
（ハ）図１２に示したように、ロールペーパーＲが芯棒５６に対して一定の角度を保持して挿入された場合（図１２（ａ））には、ロールペーパーＲの左端が芯棒５６の設置面に突き当たりスムースにロールペーパーＲを芯棒５６に挿入できないという問題があった（図１２（ｅ））。図１２はロールペーパーＲが芯棒５６に順次挿入されていく状態を段階的に示している。
【００１３】
本発明は、上述の課題を解決するためになされたものであり、複数収納されたロールペーパーが自動的かつスムースに芯棒に供給されるロールペーパー供給装置及びロールペーパー供給システムを提供することを目的とする。
【課題を解決するための手段】
【００１４】
本発明は上述の目的を達成するため、以下の構成を備えるものである。
【００１５】
（１）トイレブースの壁面に設置されるロールペーパー供給装置であって、
前記壁面にはめ込まれる正面パネルと、
ロールペーパーを収納するための、前記正面パネルの背面に傾斜して設置される収納手段と、
ロールペーパーを取り出すための、前記収納手段の端部近傍で前記正面パネルに形成された取り出し口と、
ロールペーパーの中空芯部内に挿入されて当該ロールペーパーを保持する芯棒と、
前記芯棒に保持されたロールペーパーの紙を切断するための切断手段と、
を有し、
前記芯棒の表面に、
前記収納手段から供給されたロールペーパーの中空芯部がその供給方向における先端において斜めに当接することにより、当該ロールペーパーに対して前記芯棒の延長方向に直交する方向を回転中心軸とした回転力を作用させる凹部、凸部、及び、回転ローラのうち少なくともいずれか１つが配置されることを特徴とするロールペーパー供給装置。
【００１６】
（２）前記収納手段の内側底面部に、前記ロールペーパーの供給方向への移動を容易にするための複数の搬送ローラが、前記ロールペーパーの供給方向に沿って列状に設置されていることを特徴とする前記（１）記載のロールペーパー供給装置。
【００１７】
（３）前記芯棒の中心線の前記正面パネルからの奥行き方向の距離が、前記ロールペーパーの巻き半径以下であることを特徴とする前記（１）又は（２）に記載のロールペーパー供給装置。
【００１８】
（４）前記切断手段が、前記収納手段から供給されるロールペーパーと対向する側面において、当該ロールペーパーの前記取り出し口位置への侵入を阻止するストッパーを有していることを特徴とする前記（１）乃至（３）のいずれか１項に記載のロールペーパー供給装置。
【００１９】
（５）前記切断手段が、前記芯棒に保持されたロールペーパーの上部位置で揺動可能に配置され、かつ、少なくとも異なる複数の高さ位置で停止保持されることができることを特徴とする前記（１）乃至（４）のいずれか１項に記載のロールペーパー供給装置。
【００２０】
（６）前記切断手段は、弾性手段により、前記芯棒に保持されたロールペーパーに付勢されることを特徴とする前記（１）乃至（５）のいずれか１項に記載のロールペーパー供給装置。
【００２１】
（７）トイレブースの壁面に形成された凹部に設置されるロールペーパー供給装置であって、
前記凹部にはめ込まれる正面パネルと、
前記正面パネルの背面に傾斜して設置され、高い側の端部からロールペーパーが挿入されることにより複数のロールペーパーの中空芯部内を貫通して保持するロッド棒と、
前記ロッド棒の低い側の端部近傍で前記正面パネルに形成されたロールペーパーを取り出すための取り出し口と、
ロールペーパーの中空芯部内に挿入されて当該ロールペーパーを保持する芯棒と、
前記芯棒に保持されたロールペーパーの紙を切断するための切断手段と、
を有し、
前記芯棒の表面に、
収納手段から供給されたロールペーパーの中空芯部がその供給方向における先端において斜めに当接することにより、当該ロールペーパーに対して前記芯棒の延長方向に直交する方向を回転中心軸とした回転力を作用させる凹部、凸部、及び、回転ローラのうち少なくともいずれか１つが配置されることを特徴とするロールペーパー供給装置。
【００２２】
（８）前記（７）に記載のロールペーパー供給装置を複数有して構成され、
前記複数のロールペーパー供給装置が各々有する複数のロッド棒の高い側の端部が、共通のロールペーパー投入口に連結されていることを特徴とするロールペーパー供給システム。
【発明の効果】
【００２３】
本発明によれば、複数収納されたロールペーパーが自動的かつスムースに芯棒に供給されるロールペーパー供給装置及びロールペーパー供給システムを提供することができる。
【図面の簡単な説明】
【００２４】
【図１】実施例１のロールペーパー供給装置の外観及び構成を示す図
【図２】実施例１のロールペーパーの保持状態を示す図
【図３】実施例１のロールペーパーの供給状態を示す図
【図４】実施例１のペーパーカッターの使用状態、機能を説明する図
【図５】実施例１のロールペーパーの中空芯部が芯棒に挿入される状態を順次示した図及び芯棒の他の例を示す図
【図６】実施例２のロールペーパー供給装置のロールペーパーの供給状態を示す図
【図７】実施例２のロールペーパー供給装置を応用してロールペーパー供給システムを構成した例を示す図
【図８】従来のロールペーパー供給装置の概略斜視図
【図９】従来の他のロールペーパー供給装置の構成を示す図
【図１０】従来の他のロールペーパー供給装置のロールペーパーの供給状態を示す図
【図１１】従来の他のロールペーパー供給装置のロールペーパーの保持状態を示す図
【図１２】従来の他のロールペーパー供給装置のロールペーパーが芯棒に挿入される状態を示す図
【発明を実施するための形態】
【００２５】
以下、本発明を実施するための形態を、図面に基づいて詳しく説明する。
【実施例１】
【００２６】
図１（ａ）は、本実施例のロールペーパー供給装置１０を正面から見た外観図である。洗浄操作ボタン１１、操作パネル１２、窓１３ａ、ロールペーパー取り出し口１３ｂ等は従来のロールペーパー供給装置と同様に配置されている。図１（ｂ）はロールペーパー供給装置１０の平面図であり、図１（ｃ）は正面図である。
【００２７】
ロールペーパー供給装置１０は、ロールペーパー収納箱１７（収納手段）を有するがロールペーパー収納箱１７の内側底面には平行に配列された複数のローラ１８（搬送ローラ）が設置されている。従来の底面にレールを設置した場合と比較してローラ１８の方がロールペーパーＲをより滑らかに移動させることができる。図１（ｂ）に示したように、芯棒１６の正面パネル１３からの距離Ｘは、ロールペーパーＲの巻き半径以下とされている。即ち、本実施例１における芯棒１６に設置されたロールペーパーＲは、従来のものより前方に設置されている（図２参照）。そのため、使用者はより一層ロールペーパーＲから紙を容易に引き出すことができる。図１（ｂ）に示したように、ロールペーパー収納箱１７の左端の背面は角度θだけ正面側に傾斜している。これにより、ロールペーパー収納箱１７の左端のロールペーパーＲは、より手前に落下させることができる。
【００２８】
図２は、取付金具１９、ペーパーカッター１５（切断手段）、芯棒１６により構成される部分を示した図である。ペーパーカッター１５は、芯棒１６に保持されたロールペーパーＲの上部を覆うように配置されたカバー部材である。ペーパーカッター１５の先端辺（図１（ｂ）における下側辺）には、ロールペーパーＲの紙を切断するためのカッター刃が配置されている。ペーパーカッター１５は、根元辺（図１（ｂ）における上側辺）において、図２中左右方向に延びる回転軸を中心として開閉するように揺動可能である（図４も参照）。
【００２９】
ペーパーカッター１５の側部、すなわち図１（ｂ）中での右側辺にはストッパー１５ａが設置されている。ストッパー１５ａは、ロールペーパー収納箱１７から今まさに供給されようとするロールペーパーＲ（ロールペーパー収納箱１７の左端のロールペーパーＲ）がペーパー取り出し口１３ｂへと侵入し、芯棒１６に保持されるのを阻止している。ストッパー１５ａにより、ロールペーパー収納箱１７の左端のロールペーパーＲが芯棒１６に挿入されたロールペーパーＲに直接衝突することはなくなる（図３参照）。既に述べたように、芯棒１６は取付金具１９の前面から距離Ｘの位置に設置されている。
【００３０】
図４は、ペーパーカッター１５の使用状態、機能を示す図である。本発明のロールペーパー供給装置１０のペーパーカッター１５は、２段階の高さ位置で停止保持される。すなわち、ペーパーカッター１５は揺動開放し、そのカッター刃部分が最も高い位置となった上段位置（図４（ｄ））、揺動閉鎖してそのカッター刃部分がロールペーパーＲに接する通常使用状態である下段位置（図４（ｂ））、上段位置と下段位置との間に位置する中段位置（図４（ｃ））の少なくとも３つの状態となり得る。そして、ペーパーカッター１５は、少なくとも上段位置と中段位置とで停止保持可能とされる。停止保持のための構造は、例えば公知のボールとボールキャッチを用いた構造やクリック構造を採用することができる。図４（ａ）はロールペーパーＲの紙が多い場合のペーパーカッター１５の使用時の位置を示し、図４（ｂ）はロールペーパーＲの紙が少ない場合のペーパーカッター１５の使用時の位置を示す。使用時のペーパーカッター１５は、スプリング等でロールペーパーＲに軽く押し付けられている。これにより、ロールペーパーＲの空回りが防止され、使用者は片手でロールペーパーＲの紙を切断することができる。図４（ｃ）は、ペーパーカッター１５が中段に保持されている状態を示す。この状態で使用者は、ロールペーパーＲの紙を一気に引き出すことができる。なお、ペーパーカッター１５が中段に保持された状態でも、ストッパー１５ａがロールペーパー収納箱１７の左端のロールペーパーＲの侵入を阻止している。図４（ｄ）は、ペーパーカッター１５が上段に保持された状態を示す。この状態で、新たなロールペーパーＲが自動的に供給される。この際、ストッパー１５ａが障害になることはない。
【００３１】
図５は、ロールペーパーＲの中空芯部が芯棒１６に挿入される状態を順次示した図であって、ロールペーパー供給装置における芯棒１６の近傍を上側から見た図である。図５（ａ）は、ロールペーパーＲの中空芯部の先端（すなわち、ロールペーパー収納箱１７からの供給方向における先端。以下、単に中空芯部の先端という。）が芯棒１６の右端に接触した状態を示す。この状態では、ロールペーパーＲは芯棒１６に対して斜めに挿入されようとしている。本実施例１においては、その挿入方向は、斜め上方奥側から斜め下方手前側へと進む方向である（図５中では、紙面手前上から紙面奥下へと向かう方向）。
【００３２】
図５（ｂ）は、中空芯部の先端が芯棒１６の凹部１６ａの右端に到達した状態を示し、図５（ｃ）は、中空芯部の先端が芯棒１６の凹部１６ａを更に進行した状態を示す。図５（ｂ）の状態から図５（ｃ）の状態に移行するに際して、中空芯部の先端は凹部内に落ち込む（入り込む）ように移動する。
【００３３】
図５（ｄ）は、中空芯部の先端が芯棒１６の凹部１６ａの左端に到達した状態を示す。図５（ｃ）の状態から図５（ｄ）の状態に移行するに際して、ロールペーパーＲには、図５（ｄ）中の矢印の方向への回転力が作用する。この回転力は中空芯部の先端と凹部１６ａとの当接によって生じたもので、この回転力によりロールペーパーＲの中空芯部の延長方向と芯棒１６の延長方向とは平行となる。この回転方向は、芯棒１６の延長方向に直交する方向を回転軸とする回転方向である。
【００３４】
図５（ｅ）はロールペーパーＲが芯棒１６の凹部１６ａを通過し終えた状態を示し、図５（ｆ）はロールペーパーＲが最終的に芯棒１６に保持された状態を示す。このように、凹部１６ａを有する芯棒１６によって、挿入されるロールペーパーＲをスムースに設置することができる。
【００３５】
なお、芯棒１６の凹部１６ａはロールペーパー供給装置１０を正面から見た場合における背面側に形成されているが、芯棒１６の上面側に形成されていてもよい。凹部１６ａの配置位置は、ロールペーパーＲの供給方向に依存する。すなわち、ロールペーパー収納箱１７から供給されたロールペーパーＲの中空芯部先端が、ロールペーパーＲの芯棒１６への保持が完了するまでの過程において当接し得る位置に配置されていればよい。
【００３６】
図５（ｇ），（ｈ）は、芯棒の他の例を示す図である。図５（ｇ）は、供給されるロールペーパーＲの中空芯部先端が接触する位置において、芯棒２５の稜線に沿って突起２５ａが配置された例を示す。図５（ｈ）は、供給されるロールペーパーＲの中空芯部先端が接触する位置において、芯棒２６の稜線に沿って回転可能な複数のローラ２６ａ（回転ローラ）が配置された例を示す。いずれの例においても、ロールペーパーＲは芯棒２５，２６の表面を滑らかに移動することができる。
【００３７】
本実施例１のロールペーパー供給装置によれば、収納された複数のロールペーパーを自動的かつスムースに芯棒に供給することができる。
【実施例２】
【００３８】
本実施例２では、ロッド棒を用いたロールペーパー供給装置について説明する。図６は、本実施例２のロールペーパー供給装置のロールペーパーＲの供給状態を示す図である。ロッド棒２２を用いることによって、ロールペーパーＲの供給路を自由に設定することができる。ロールペーパーＲはロッド棒２２の右端（高い側の端部）から順次供給される。実施例１のロールペーパー供給装置１０と同様に、予備の左端のロールペーパーＲはペーパーカッター１５のストッパー１５ａに接触して停止する。芯棒は、実施例１で述べた凹部１６ａを有する芯棒１６と同一のものを使用することができる。なお、芯棒１６が伸縮可能な構造や、前方又は後方に倒伏可能な構造を有していれば、使用後のロールペーパーＲの中空芯部を取り外すことも容易である。
【００３９】
本実施例２のロールペーパー供給装置４０を複数のトイレブースに設置し、各ロールペーパー供給装置４０にロッド棒２２によりロールペーパーＲを供給する構成（ロールペーパー供給システム）も採用可能である。その場合において、一部のトイレブースにはロールペーパー供給装置４０全体でなく、ロールペーパー収納箱のみを設置することもできる。
【００４０】
図７は、便器４５を有する２つのトイレブースに、本実施例２のロールペーパー供給装置４０とロールペーパー収納箱３６（収納手段）を設置し、全体としてロールペーパー供給システムを構成した例を示す図である。このロールペーパー供給システムでは、ロールペーパー投入口２３からロールペーパー供給装置４０とロールペーパー収納箱３６との両方にロールペーパーＲを供給可能である。このように、本実施例２のロールペーパー供給装置やそれを応用したロールペーパー供給システムでは、ロッド棒を用いるだけでロールペーパーを簡便に供給することができる。
【００４１】
本実施例２のロールペーパー供給装置によれば、自在な経路で複数収納されたロールペーパーを自動的かつスムースに芯棒に供給することができる。
【符号の説明】
【００４２】
１０    ロールペーパー供給装置
１１    洗浄操作ボタン
１２    操作パネル
１３    正面パネル
１３ａ  窓
１３ｂ  ペーパー取り出し口（取り出し口）
１４    ロールペーパー供給窓
１５    ペーパーカッター（切断手段）
１５ａ  ストッパー
１６    芯棒
１６ａ  凹部
１７    ロールペーパー収納箱（収納手段）
１８    ローラ（搬送ローラ）
１９    取付金具
２２    ロッド棒
２３    ロールペーパー投入口
２５    芯棒
２５ａ  凸部
２６    芯棒
２６ａ  ローラ（回転ローラ）
３０    ロールペーパー収納箱（収納手段）
４０    ロールペーパー供給装置
４５    便器
Ｒ      ロールペーパー
【図１】
2016036674.tif 000003
【図２】
2016036674.tif 000004
【図３】
2016036674.tif 000005
【図４】
2016036674.tif 000006
【図５】
2016036674.tif 000007
【図６】
2016036674.tif 000008
【図７】
2016036674.tif 000009
【図８】
2016036674.tif 000010
【図９】
2016036674.tif 000011
【図１０】
2016036674.tif 000012
【図１１】
2016036674.tif 000013
【図１２】
2016036674.tif 000014